(57)【特許請求の範囲】
【請求項１】
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
前記鉤歯部は、前記受歯部に密に面接触する前後の側面を有する
ことを特徴とする建物用庇の取付部構造。
【請求項２】
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
連結構造部は、鉤歯部と前記背面壁部とが近接されて、庇パネルに上方への荷重が負荷された時に、鉤歯部が前記背面壁部に当接し、上方への荷重を支持するように構成された
ことを特徴とする建物用庇の取付部構造。
【請求項３】
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
支持壁部に、庇パネルの基端下縁部を係止する下位置決め部を形成するとともに、上面壁部に庇パネルの基端上縁部を係止する上位置決め部を形成した
ことを特徴とする建物用庇の取付部構造。
【請求項４】
壁取付材の支持壁部と庇パネルとパネル取付材の押さえ壁部とを貫通して固定する固定具を有し、
押さえ壁部に、前記固定具を回り止めする回り止め部が形成された
ことを特徴とする請求項１乃至３のいずれかに記載の建物用庇の取付部構造。
【発明の詳細な説明】
【技術分野】
【０００１】
本発明は、建物の軒先や窓の上部の外壁面から張り出すように取り付けられる建物用庇の取付部構造に関する。
【背景技術】
【０００２】
特許文献１に開示された庇板１は、図７に示すように、建物の外壁面２にアンカーボルト４を介して取り付けられた保持枠３に固定されている。この保持枠３は、外壁面２に面して取り付けられる背面板５と、この背面板５の前面に、互いに対向する一対の上下保持板６，７を突設したもので、押出成形された型材により構成されている。庇板１は、上下保持板６，７間に嵌合され、上下保持板６，７と庇板１とを貫通する取付ボルト８により固定されている。
【先行技術文献】
【特許文献】
【０００３】
【特許文献１】特許第４１９２１９９号
【発明の概要】
【発明が解決しようとする課題】
【０００４】
上記構成において、特に突風に庇板１が煽られると、庇板１に上向きの衝撃荷重が発生する。このときに生じる回転モーメントＤＭにより、上保持板６および下保持板７と背面板５コーナ部ａ，ｂに応力が集中し、破損するおそれがある。またこの突風による繰り返し荷重により、コーナ部ａ，ｂに金属疲労が生じて破断や破損、変形がしやすいという問題があった。
【０００５】
本発明は、庇パネルに対する上向きの衝撃荷重や繰返し荷重を緩衝して応力を分散させ、破損や変形を防止することができる建物用庇の取付部構造を提供することを目的とする。
【課題を解決するための手段】
【０００６】
請求項１記載の発明は、
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
前記鉤歯部は、前記受歯部に密に面接触する前後の側面を有するものである。
【０００７】
請求項２記載の発明は、
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
連結構造部は、鉤歯部と前記背面壁部とが近接されて、庇パネルに上方への荷重が負荷された時に、鉤歯部が前記背面壁部に当接し、上方への荷重を支持するように構成されたものである。
【０００８】
請求項３記載の発明は、
壁面から庇パネルが突出して取り付けられる建物用庇の取付部構造であって、
押出成形されて壁面に固定される壁取付材と、押出成形されて庇パネルの基端部に固定されるパネル取付材とを具備し、
前記壁取付材は、壁面取付具により壁面に幅方向に沿って固定される背面壁部と、当該背面壁部から突出されて前記庇パネルの基端部を下方から支持する支持壁部と、当該支持壁部の上方に対面して前記背面壁部から突出された上面壁部とを有し、
前記パネル取付材は、前記庇パネルの基端部上面に固定される押さえ壁部を有し、
前記壁取付材とパネル取付材とを連結する連結構造部に、前記上面壁部から上方に向かって突出されて、前面および背面の少なくとも一方が傾斜面に形成された台形断面の受歯部と、前記パネル取付材に設けられて前記受歯部に上方から嵌合される鉤歯部とを有し、
支持壁部に、庇パネルの基端下縁部を係止する下位置決め部を形成するとともに、上面壁部に庇パネルの基端上縁部を係止する上位置決め部を形成したものである。
【０００９】
請求項４記載の発明は、請求項１乃至３のいずれかに記載の構成において、
壁取付材の支持壁部と庇パネルとパネル取付材の押さえ壁部とを貫通して固定する固定具を有し、
押さえ壁部に、前記固定具を回り止めする突起部が形成されたものである。
【発明の効果】
【００１０】
請求項１記載の発明によれば、壁面に取り付けられた壁取付材に、庇パネルの基端部底面を支持させると同時に、庇パネルに取り付けられたパネル取付材を、連結構造部を介して壁取付材に連結したので、連結構造部における受歯部と鉤歯部の弾性変形や噛み合い部のずれにより、庇パネルに加わる上下方向の荷重を一旦緩衝して、上面壁部と背面壁部の上コーナ部に伝達させることができる。これにより、大きい衝撃力が直接、上コーナ部に伝達されるのを防止することができ、突風などによる衝撃力や繰り返し荷重による庇パネルの取付部の破損や変形を未然に防止することができる。
【００１１】
請求項２記載の発明によれば、弾性変形を利用して鉤歯部を背面壁部に当接させることで、この当接部と上面壁部と背面壁部の上コーナ部とで、庇パネルに負荷させる上方への荷重を支持することができ、庇パネルの下方で巻き上げるような突風による負荷に対する強度を増大させることができる。
【００１２】
請求項３記載の発明によれば、庇パネルの基端部を、壁面に固定された壁取付材の支持壁部に沿って上面壁部の間に挿入し、上下位置決め部により庇パネルを位置決めした後、パネル取付材を上方から庇パネルの基端部に組み付けることで、庇パネルを容易に精度良く壁取付材に取り付けることができる。
【００１３】
請求項４記載の発明によれば、固定具により庇パネルとパネル取付材と壁取付材とを一体に固定することにより、部品点数を削減でき、回り止め部により固定具の頭部を回り止めして、固定具の締め付け作業を容易に行え、作業性を向上させることができる。
【図面の簡単な説明】
【００１４】
【図１】本発明に係る建物用庇の取付部構造の実施例を示し、連結構造部の縦断面図である。
【図２】建物用庇の全体斜視図である。
【図３】建物用庇の分解斜視図である。
【図４】建物用庇の縦断面図である。
【図５】（ａ）〜（ｄ）は壁取付材およびパネル取付材を示し、（ａ）はパネル取付材の横断面図、（ｂ）は壁取付材の縦断面図、（ｃ）および（ｄ）はそれぞれ壁取付材の受歯部の変形例を示す部分断面図である。
【図６】（ａ）〜（ｄ）は連結構造部に発生する応力を示し、（ａ）は庇パネルの先端部に下方への荷重が負荷された時の説明図、（ｂ）は（ａ）に示すイ部の拡大図、（ｃ）は庇パネルの先端部に上方への荷重が負荷された時の説明図、（ｄ）は（ｃ）に示すロ部の拡大図である。
【図７】従来の庇取付部を示す縦断面図である。
【発明を実施するための形態】
【実施例】
【００１５】
以下、本発明に係る建物用庇の実施例を図１〜図６に基づいて説明する。
図２〜図４に示すように、この建物用庇は、壁面１２に左右方向（幅方向）に固定される壁取付材１１と、庇パネル１５の基端部に取り付けられるパネル取付材１４と、壁取付材１１に基端部底面が支持された庇パネル１５をパネル取付材１４を介して壁取付材１１に連結固定する連結構造部１３と、庇パネル１５の先端縁に見切りブラケット１６を介して取り付けられる先端見切り材１７と、壁取付材１１およびパネル取付材１４の上面と底面とをそれぞれ覆う上下カバー材１８，１９と、壁取付材１１の両端面を覆う端板５８とを具備している。上記壁取付材１１、パネル取付材１４、庇パネル１５、先端見切り材１７および上下カバー材１８，１９は、それぞれ押し出し成形された軽合金製（アルミニウム合金製）の型材で、それぞれ長さ方向に同一断面に形成されている。
【００１６】
（庇パネル）
庇パネル１５は、長さ方向（基端−先端方向）に中空部が形成された中間パネル２１と、長さ方向に中空部が形成された端部パネル２２からなり、これら中間パネル２１および端部パネル２２には対称構造の結合部２１ａ，２２ａが左右の側辺部にそれぞれ形成され、これら結合部２１ａ，２２ａを長さ方向にスライドさせて係合し、ピンを嵌入することにより、中間パネル２１同士、および中間パネル２１と端部パネル２２とを連結して一体に組み立てることができる。また図１に示すように、庇パネル１５の基端側に、固定ボルト２４（固定具）により庇パネル１５とパネル取付材１４とを一体固定するボルト穴２６が幅方向に所定間隔ごとに形成されている。さらにパネル２１，２２の中空部に、雨音などの軽減のために吸音材２５が内装される。
【００１７】
前記先端見切り材１７には、前縁カバー１７ａに形成したものと、雨樋１７ｂを形成したものとがある。端板１７ｃは、先端見切り材１７の両端面をそれぞれ閉鎖する端板である。
【００１８】
（壁取付材）
壁取付材１１は、図１，図５に示すように、壁面１２に面して取り付けるためのアンカーボルト（壁面取付具）２３のボルト穴３７が所定間隔ごとに形成される背面壁部３１と、この背面壁部３１の下端部から略水平（庇勾配だけ下方に傾斜して）に折り曲げられて庇パネル１５の基端部を下方から支持する支持壁部３２と、背面壁部３１の中央上部から先端側に支持壁部３２に対面して平行に突出された上面壁部３３とを具備している。
【００１９】
背面壁部３１は、支持壁部３２と上面壁部３３間に設けられた厚肉状の垂直壁３４と、この垂直壁３４から上方に伸びる薄肉状の立上壁３５とを有している。垂直壁３４の前面で上下方向の中央部に、ボルト穴３７を穿孔する時に穿孔具（ドリル）の位置決めをする位置決め溝３８が形成されている。これらボルト穴３７から壁面１２にそれぞれ打ち込まれたアンカーボルト２３に、ナットが装着されて締め付けられ、壁取付材１１が壁面１２に一体に固定される。また立上壁３５の上端部に、前部下方に傾斜して折り曲げられた後取付片３６が突設され、上カバー材１８の後端係止部１８ｒをビス１８ｂにより取り付けるように構成されている。
【００２０】
支持壁部３２は、上面で中央より少し奥側に庇パネル１５の挿入を規制して位置決めする下係止片（下位置決め部）４２Ｄが突設され、この下係止片４２Ｄより先端側に庇パネル１５の基端部を下方から支持する支持面４１が形成されている。また支持壁部３２の底面基端側と先端面とに、下カバー材１９の前縁部と後縁部とをそれぞれ係止する前後係止爪４３Ｆ，４３Ｒが形成されている。さらに支持壁部３２の底面で支持面４１の反対面に、固定ボルト２４を挿入するボルト穴４８を穿孔する時に穿孔具（ドリル）の位置決めをする位置決め溝４４が形成されている。
【００２１】
上面壁部３３は、垂直壁３４の上端部から先端側に伸びる厚肉状の基部４５と、この基部４５から前方に突出された薄肉状のガイド壁部４６と、基部４５から上方に突出される受歯部６１（連結構造部１３）とを有し、ガイド壁部４６の先端に、庇パネル１５の挿入を規制して庇パネル１５の基端上縁部を位置決めし仮固定可能な上係止段部（上位置決め部）４２Ｕが形成されている。
【００２２】
（パネル取付材）
パネル取付材１４は、庇パネル１５の基端上面部に当接される押さえ壁部５１と、この押さえ壁部５１から段部５４Ｕ，５４Ｄを介して基端側にガイド壁部４６に隙間をあけて対面される中間壁部５２と、この中間壁部５２の基端部に形成されて下方に開口された鉤歯部６２（連結構造部１３）とを具備し、この鉤歯部６２は、前歯６２Ｆの下端部に中間壁部５２が連結されるとともに、前歯６２Ｆの上端部に連結壁６２Ｃを介して後歯６２Ｒが連結されて下方に突出され、チャンネル形断面に形成されて受歯部６１に密に嵌合できるように形成されている。
【００２３】
前記中間壁部５２は、底面に形成された段部５４から基端側がガイド壁部４６の上面に所定隙間をあけて対面される。また押さえ壁部５１の先端部には、上カバー材１８の前部を係止する前取付片４７が突設されている。さらに押さえ壁部５１の上面には、段部（回り止め部）５４との間で固定ボルト２４の頭部を回り止めする突起（回り止め部）５５が形成され、この突起５５と段部５４との間に、固定ボルト２４のボルト穴５６を形成するときに穿孔具（ドリル）の位置決めをする位置決め溝５７が形成されている。
【００２４】
ここで、庇パネル１５は、複数の中間パネル２１を結合部２１ａおよびピンを介して組み立て、左右側部に端部パネル２２を結合部２２ａおよびピンを介して組み立てることにより、必要な幅を確保している。また壁取付材１１と上下カバー材１８，１９と先端見切り材１７は、庇パネル１５の全幅にわたる１本のものが使用され、さらにパネル取付材１４は、全幅に対して複数に分割した定尺もの、たとえば２〜４枚の中間パネル２１に対して１本のパネル取付材１４で固定可能なものが使用される。５８は上下カバー材１８，１９の両端部にビスを介して取り付けられる端板である。
【００２５】
（連結構造部）
固定ボルト２４により、パネル取付材１４を庇パネル１５の基端部上面に取り付けるとともに、庇パネル１５の基端部を支持壁部３２に固定している。
【００２６】
連結構造部１３は、固定ボルト２４と、壁取付材１１の垂直壁３４の上端部で、上面壁部３３の基部（歯支持部）４５から上方に突出された台形断面の受歯部６１と、この受歯部６１に密に嵌合される鉤歯部６２と、嵌合された鉤歯部６２の後歯６２Ｒが弾性変形で当接されるパネル取付材１４の立上壁３５とで構成されている。鉤歯部６２には、前歯６２Ｆと後歯６２Ｒの間に結合溝６３が形成され、また受歯部６１の背面と立上壁３５との間に後歯６２Ｒが嵌合される収容溝６４が形成されている。
【００２７】
前記受歯部６１は、図５（ａ），（ｂ）および図６に示すように、前傾斜面６１ｆおよび後傾斜面６１ｒがそれぞれ傾斜角θで傾斜する等角台形断面に形成されており、これに対応して、鉤歯部６２の結合溝６３の前後の傾斜側面６３ｆ，６３ｒが傾斜角θで傾斜する等角台形断面に形成されている。したがって、受歯部６１を結合溝６３に噛み合わせて固定ボルト２４を締め付けることにより、受歯部６１の前傾斜面６１ｆと結合溝６３の傾斜側面６３ｆとが密に面接触し（密接前面６５Ｆ）、受歯部６１の後歯面６１ｒと結合溝６３の後の傾斜側面６３ｒとが密に面接触される（密接後面６５Ｒ）。また図６（ｂ）に示すように、固定ボルト２４を締め付けた状態で、受歯部６１の歯先面と結合溝６３の底面（連結壁６２Ｃ）とに隙間δ１が生じ、かつ後歯６２Ｒと収容溝６４の底面（基部４５）との間に隙間δ２が生じるように、受歯部６１と鉤歯部６２が形成されている。さらにガイド壁部４６と中間壁部５２との間に隙間δ３が形成されている。ここで前記傾斜角θの適正値は、０°〜３０°の範囲であり、たとえば５°〜１５°が好適である。ここで傾斜角θが３０°を超えると、後述する緩衝作用が小さくなるからである。
【００２８】
もちろん、上記受歯部６１と結合溝６３の断面形状は、固定ボルト２４の締め付けで、受歯部６１と結合溝６３が密にかつ均一に面接触する断面形状であればよく、不等角台形断面や図５（ｃ），（ｄ）に示す直角台形断面であってもよい。ここで、受歯部６１と結合溝６３との２つの傾斜角θ＝０°となる矩形断面にしないのは、噛み合わせのための許容誤差により、隙間が生じてガタ付きが生じ、衝撃荷重が発生するおそれがあるからである。
【００２９】
また、鉤歯部６２が結合溝６３に噛み合った状態で、図６（ｂ）に示すように、収容溝６４に嵌合された後歯６２Ｒと、立上壁３５とが近接されて揺動許容隙間εが形成されている。ここで、揺動許容隙間εを形成したのは、後歯６２Ｒと立上壁３５を接触させた場合、製造誤差などにより、密接後面６５Ｒが面接触しない場合が生じると、衝撃荷重の発生などの不具合が生じるおそれがあるためである。
【００３０】
（建物用庇の取付手順）
上記構成において、上記建物用庇を壁面１２に取り付ける作業手順を説明する。
１）壁取付材１１、庇パネル１５およびパネル取付材１４に、ボルト穴３７，４８，５６をそれぞれ所定の位置に形成する。
【００３１】
壁取付材１１を壁面１２の所定位置に位置決めし、ボルト穴３７を介して壁面１２にアンカーボルト２３を打ち込み、ナットを介して壁取付材１１を壁面１２に取り付ける。まず、左の端部パネル２２の基端部を、壁取付材１１の支持壁部３２で支持面４１に沿って挿入し、上係止段部４２Ｕ，下係止片４２Ｄにより位置決めし仮止めする。次いで、端部パネル２２の結合部２２ａにピンを嵌入した後、結合部２２ａを先端部から中間パネル２１の結合部２１ａを係合して後方にスライドさせ、その基端部を支持面４１に沿って挿入し、上係止段部４２Ｕ，下係止片４２Ｄにより位置決めし、端部パネル２２と中間パネル２１とを結合して仮止めする。さらに次の中間パネル２１を、同様の手順で結合部２２ａ．２２ａとピンにより組み付ける。
【００３２】
２）所定個数の中間パネル２１が組み立てられると、パネル取付材１４を上方から当て付けて鉤歯部６２を壁取付材１１の受歯部６１に嵌合させ、さらに固定ボルト２４を各ボルト穴５６，２６，４８に貫入させる。そして、固定ボルト２４の頭部を段部５４と突起５５の間に係合させて固定ボルト２４を回り止めした状態で、ナットを装着して締め付け、庇パネル１５の一部をパネル取付材１４を介して壁面１２に取り付ける。
【００３３】
次に、既設の中間パネル２１に結合部２１ａおよびピンを介して新規の中間パネル２１を順次係合して組み付け、最後に端部パネル２２を組み立てる。
同様にして、パネル取付材１４を上方から当て付けて鉤歯部６２を壁取付材１１の受歯部６１に嵌合させ、さらに固定ボルト２４により庇パネル１５の全体をパネル取付材１４を介して壁面１２に取り付ける。
【００３４】
３）庇パネル１５の前縁部に、複数のビスにより見切りブラケット１６を取り付け、これら見切りブラケット１６を介して先端見切り材１７を装着し、端板１７ｃを取り付けて固定する。また上カバー材１８の前縁爪部１８ｆをパネル取付材１４の前取付片４７に係合し、後縁係止部１８を後取付片３６にビス１８ｂ止めして固定する。さらに、下カバー１９の前縁爪部１９ｆを支持壁部３２の前係止爪４３Ｆに係合させ、後縁爪部１９ｒを後係止爪４３Ｒに係止する。
【００３５】
さらに壁面１２で上カバー材１８の後縁係止部１８ｒと後取付片３６との取付部に上シール材１８ｓを充填する。
（連結構造部の作用）
上記構成において、庇パネル１５の片持ち荷重は、壁面１２に取り付けられた壁取付材１１に支持されている。ここで、壁取付材１１と壁面１２とが一体の剛体であり、また庇パネル１５とパネル取付材１４とが一体の剛体と考えることができる。庇パネル１５に荷重が負荷されると、壁取付材１１の背面壁部３１と上面壁部３３が連結される上コーナ部ＵＣと、背面壁部３１と支持壁部３２の下コーナ部ＤＣとで支持される。
【００３６】
図６（ａ）（ｂ）に示すように、例えば積雪などで、庇パネル１５に下方への荷重が負荷されて回転モーメントＤＭが発生すると、連結構造部１３では、支持壁部３２の支持面４１と固定ボルト２４の交点を支点Ｐとして、パネル取付材１４を前方に引き起こす方向の回転モーメントＭ１が発生する。この回転モーメントＭ１によって、受歯部６１と鉤歯部６２では、密接後面６５Ｒに圧縮する方向の力Ｆ１が作用して、密接後面６５Ｒで回転モーメントＭ１が支持され、密接前面６５Ｆに離間する方向の力が作用する。また、圧縮する方向の力Ｆ１は、密接後面６５Ｒに垂直な分力Ｆ１ｘと、密接後面６５Ｒに沿う分力Ｆ１ｙとの合力と考えられ、この密接後面６５Ｒに沿う分力Ｆ１ｙにより密接後面６５Ｒに滑りやずれが生じる。さらにこの回転モーメントＭ１により、受歯部６１、鉤歯部６２などの連結構造部１３を構成する部材が弾性変形する。このため、庇パネル１５に下方への衝撃荷重が発生すると、連結構造部１３における滑りやずれと弾性変形とで一旦緩和された後、上コーナ部ＵＣに伝達される。
【００３７】
また図６（ｃ）（ｄ）に示すように、たとえば巻き上げられる突風により、庇パネル１５に上方への荷重が負荷され、上方への回転モーメントＵＭが発生することにより、支点Ｐを中心として、パネル取付材１４を下方に押し込む方向の回転モーメントＭ２が発生する。この回転モーメントＭ２によって、受歯部６１と鉤歯部６２では、密接前面６５Ｆに圧縮する方向の力Ｆ２が作用して密接前面６５Ｆで回転モーメントＭ２が支持され、密接後面６５Ｒに離間する方向の力が作用する。また圧縮する方向の力Ｆ２は、密接前面６５Ｆに垂直な分力Ｆ２ｘと、密接前面６５Ｆに沿う分力Ｆ２ｙとの合力と考えられ、この密接前面６５Ｆに沿う分力Ｆ２ｙにより密接前面６５Ｆに滑りやずれが生じる。さらにこの回転モーメントＭ２により連結構造部１３を構成する部材が弾性変形する。このため、庇パネル１５に上方への衝撃荷重が発生すると、連結構造部１３の滑りやずれと弾性変形で一旦緩和された後、上コーナ部ＵＣに伝達される。
【００３８】
さらに回転モーメントＭ２により、連結構造部１３の構成部材が弾性変形すると、後歯６２Ｒが背面壁部３１の立上壁３５に当接部Ｑで当接され、回転モーメントＭ２による力Ｆ３が立上壁３５と上コーナ部ＵＣの広い部分で支持され。これにより、庇パネル１５に対する上方への負荷に対する強度を増大させることができる。
【００３９】
したがって、庇パネル１５に衝撃荷重が加わった場合でも、連結構造部１３により一旦緩衝して、上コーナ部ＵＣに伝達することができ、突風による衝撃を緩和することができ、破損や変形を未然に防止することができる。
【００４０】
また台風などにより、庇パネル１５に上下方向の荷重が長時間繰り返し負荷された場合であっても、連結構造部１３で一旦緩衝して上コーナ部ＵＣに伝達するので、壁取付部材１１の上下コーナ部ＵＣ，ＤＣにおける金属疲労を軽減することができ、破損を未然に防止することができる。
【００４１】
（実施例の効果）
上記実施例によれば、壁面１２に取り付けられた壁取付材１１の支持壁部３２により、庇パネル１５の基端部底面を支持させると同時に、庇パネル１５に取り付けられたパネル取付材１４を、連結構造部１３を介して壁取付材１１の上面壁部３３に連結したので、連結構造部１３における受歯部６１と鉤歯部６２における噛み合い部の滑りやずれ、弾性変形により、庇パネル１５に加わる上下方向の荷重を一旦緩衝して上コーナ部ＵＣに伝達させることができる。したがって、大きい衝撃荷重が庇パネル１５から直接上コーナ部ＵＣに負荷されるのを防止することができ、突風などによる衝撃力や繰り返し荷重による壁取付材１１の上下コーナ部ＵＣ，ＤＣの破損や変形を未然に防止することができる。
【００４２】
また、鉤歯部６２の後歯６２Ｒが嵌合される収容溝６４では、庇パネル１５に負荷される上方への荷重で、弾性変形された後歯６２Ｒを立上壁３５の当接部Ｑで当接させて荷重を支持させることができる。これにより、壁取付材１１の上コーナ部ＵＣと上記当接部とで庇パネル１５の上方への荷重を支持することができ、巻き上げるような突風に対する上下コーナ部ＵＣ，ＤＣの強度を増大させることができる。
【００４３】
さらに、壁面１２に固定された壁取付材１１の支持壁部３２と上面壁部３３とに、庇パネル１５の基端部を位置決めするとともに基端部を係止可能な下係止片４２Ｄおよび上係止段部４２Ｕを設けたことにより、庇パネル１５を容易かつ精度良く位置決めし、壁取付材１１に装着することができる。
【００４４】
さらにまた、固定ボルト２４により庇パネル１５、パネル取付材１４および壁取付材１１を一体に固定することにより、部品点数を削減できる。また突起部５５と段部５４の間で固定ボルト２４の頭部を回り止めすることができるので、固定ボルト２４の締め付け作業を容易に行え、作業性を向上させることができる。
【符号の説明】
【００４５】
ＵＣ    上コーナ部
ＤＣ    下コーナ部
１１    壁取付材
１２    壁面
１３    連結構造部
１４    パネル取付材
１５    庇パネル
１８    上カバー材
１９    下カバー材
２１    中間パネル
２２    端部パネル
２３    アンカーボルト（第１固定具）
２４    固定ボルト（第２，第３固定具）
２６    ボルト穴
３１    背面壁部
３２    支持壁部
３３    上面壁部
３４    垂直壁
３５    立上壁
３７    ボルト穴
４１    支持面
４２Ｕ  上係止段部（上位置決め部）
４２Ｄ  下係止片（下位置決め部）
４５    基部
４６    ガイド壁部
４８    ボルト穴
５４    段部（回り止め部）
５５    突起（回り止め部）
５６    ボルト穴
６１    受歯部
６１ｆ  前傾斜面
６１ｒ  後傾斜面
６２    鉤歯部
６２Ｆ  前歯
６２Ｒ  後歯
６３    結合溝
６３ｆ  前傾斜面
６３ｒ  後傾斜面
６４    収容溝
６５Ｆ  密接前面
６５Ｒ  密接後面
δ１    隙間
δ２    隙間
δ３    隙間
ε    揺動許容隙間
【図１】
0005623085.tif 000002
【図２】
0005623085.tif 000003
【図３】
0005623085.tif 000004
【図４】
0005623085.tif 000005
【図５】
0005623085.tif 000006
【図６】
0005623085.tif 000007
【図７】
0005623085.tif 000008